(57)【要約】      （修正有）【課題】雪だるまなどを模した外郭体内に、冷凍機に発生させた冷媒ガスを吹き込み外郭体の外部に着霜させる装置において、高圧冷媒を効率的に拡散させ、均等な着霜を成形することができる擬似着霜造形物を提供する。【解決手段】造形物（雪だるま）の外郭体内に臨んだキャピラリーチューブと、キャピラリーチューブの先端に設けたノズルと、キャピラリーチューブに接続する冷凍機と、戻りチューブで構成した擬似着霜造形物（人工雪だるま）で、ノズルを外郭体の広い端面部に設置し、端面部で高圧冷媒を旋回して外郭体の内面接線方向に曲折する曲り部を形成して擬似着霜造形物とする。【選択図】図１
0003149904.tif 000002
【実用新案登録請求の範囲】
【請求項１】
雪だるま、木、動物を模した造形物の外郭体と、この外郭体内に臨んだ一本又は数本のキャピラリーチューブと、このキャピラリーチューブの先端に設けた一個又は数個のノズルと、前記キャピラリーチューブの基端を接続する冷凍機と、前記外郭体の下端に先端が臨み、かつその基端が前記冷凍機に接続する戻りチューブで構成した擬似着霜造形物であって、
前記ノズルを外郭体の広い端面部に設置する際に、この端面部で、前記キャピラリーチューブからの高圧冷媒を旋回させるために、この外郭体の内面接線方向に曲折する曲り部を形成する構成とした擬似着霜造形物。
【請求項２】
請求項１に記載の擬似着霜造形物であって、
前記雪だるまにおいて、一本又は数本のキャピラリーチューブの先端のノズルを、前記外郭体の頭部の頂上内面まで延設し、また、他の一本又は数本のキャピラリーチューブの先端を、この外郭体の胴体の中心のやや上方に延設するとともに、この他の一本又は数本のキャピラリーチューブの先端に一個又は数個のノズルを付設し、この他の一本又は数本のキャピラリーチューブの先端に設けた一個又は数個のノズルを胴体の内面接線方向に曲折する曲り部を形成する構成とした擬似着霜造形物。
【請求項３】
請求項２に記載の擬似着霜造形物であって、
前記雪だるまに、温度センサーとスイッチを付設し、前記冷凍機をオンオフする構成、及び／又はスイッチ、並びに照明を付設し、この照明を点灯又は消灯する構成とした擬似着霜造形物。
【請求項４】
請求項１に記載1の擬似着霜造形物であって、
前記キャピラリーチューブからの高圧冷媒を旋回する構造において、この旋回を、略水平方向において行う構成とした擬似着霜造形物。
【考案の詳細な説明】
【技術分野】
【０００１】
本考案は、キャピラリーチューブからの冷媒ガスを利用した擬似着霜造形物（人工雪だるま、模擬樹氷木、雪が付いた模擬動物、積雪模擬建物・乗り物・その他の造形品等）の造形物に関する。
【背景技術】
【０００２】
本考案のキャピラリーチューブからの高圧冷媒を利用した擬似着霜造形物に関しては、考案者が知る限りでは見聞したことがない。従って、この考案を実施するために種々の試みを行ったので、その一例を簡便に説明すると、最初は雪だるまの外郭体を見立てた小型の酸素ポンベ（ボンベとする）を調達し、このボンベの外周面に、冷却パイプを囲繞し、この冷却パイプを冷凍機に接続する。そして、この冷却パイプを蒸発器に見立てて、着霜する構造とした。しかし、冷却パイプを、隙間なくかつ均等に囲繞するには経験と、器具が要求される問題点が挙げられる。そして、また、この冷却パイプに、均等に着霜することの困難性、例えば、隣接する冷却パイプ間の着霜と、この冷却パイプの表面との着霜との差、又は冷却パイプの径の大小、或いは気候・設置条件等が挙げられる。従って、人工雪だるまとしての商品価値が十分とは云えないことが判明した。このような経験から、本考案者が着想したのが、本考案である。
【０００３】
そこで、本考案と関連がある先行文献を挙げつつ、この先行文献の課題と、本考案との相違点を、以下に列挙する。
【０００４】
文献（１）は、実開昭６３−９７６００号の「人工雪像の造型に用いる冷媒蒸発器」であり、この考案は、達磨素原像に、冷凍機に接続した冷媒配管を囲繞し、この冷媒配管を冷媒蒸発器とし、また冷凍機に接続する冷媒戻り管で構造であり、この冷媒蒸発器への着霜を介して、人工雪だるまを成形することを特徴とする。しかし、この考案は、前述した如く、着霜に問題が発生する可能性があり、改良の余地がある。また、この考案は、加工に手間と経験を要すること、並びにコスト高となること等の改良の余地がある。
【０００５】
また、文献（２）は、実開平７−３３７００号の「人工雪像」であり、この考案は、前記文献（１）と同じ略構造であり、改良の余地が考えられる。
【０００６】
さらに、文献（３）は、実公昭４９−５８３３号の「観賞用氷柱」であり、この考案は、樹氷形の造形物内に、キャピラリーチューブと戻り管を臨ませ、このキャピラリーチューブと、圧縮機及び凝縮機に接続するとともに、この戻り管を圧縮機に接続する構造であって、この造形物を蒸発器とすることを特徴とする。しかし、この考案は、戻り管を、造形物の上端に設ける構造であるので、使用済みガスを効率的に吸引できず、着霜に弊害となる。そして、また、このキャピラリーチューブを、造形物の下端に設ける構造であるので、高圧冷媒を効率的に拡散できず、均等な着霜を成形するには、改良の余地がある。
【０００７】
尚、文献（４）は、特開平５−７７６００号の「構造物への氷結装置」であり、この発明は、中空構造物において、その中空先端枝部に、それぞれ冷却管を配備するとともに、その基幹部に、上下流側のヘッダーを配備し、この冷却管を冷凍手段に接続する構造であって、中空先端枝部を氷結することを特徴とする。しかし、この発明は、この中空先端枝部を氷結するのみであり、基幹部に対しての配慮が無く、面白味に掛けること、或いは、戻り配管（下流側のヘッダー）に対する構造が、中空先端枝部の冷却管に有効に作用としないことが考えられ、改良の余地がある。
【０００８】
【特許文献１】実開昭６３−９７６００号
【特許文献２】実開平７−３３７００号
【特許文献３】実公昭４９−５８３３号
【特許文献４】特開平５−７７６００号
【考案の開示】
【考案が解決しようとする課題】
【０００９】
前述した如く、文献（１）〜（４）は、それぞれ改良すべき余地がある。
【００１０】
そこで、本考案を、以下に説明することを目的とする。
【００１１】
「Ａ」  造形物のベース内に、冷凍機を設置するとともに、高圧冷媒配供給管に接続した分岐部を介して、この造形物内にキャピラリーチューブを臨ませるとともに、このキャピラリーチューブのノズルを外郭体の広い端面部に設置する際に、この端面部で、前記キャピラリーチューブからの高圧冷媒を旋回、かつ蒸発しながらガス化し、この外郭体の内面接線方向に曲折する曲り部を形成する構成とし、造形物に、略均等に着霜する。
【００１２】
「Ｂ」  前記造形物内にキャピラリーチューブを臨ませるとともに、このキャピラリーチューブのノズルを外郭体の頂上内面に設置することで、前記キャピラリーチューブからの高圧冷媒を、上方から下方に向かって、蒸発しながらガス化し、略満遍なく吹き降ろす構成とし、造形物に、略均等に着霜する。
【００１３】
「Ｃ」  前記造形物内に戻りチューブを臨ませるとともに、この戻りチューブの先端開口を外郭体の下端（内面）に設置することで、使用済み冷媒ガスを、確実に冷凍機にリターンし、気化ガスから高圧冷媒に変換することで、冷媒及び／又はガスの有効利用を図りつつ、効率的に、造形物に、略均等に着霜する。
【課題を解決するための手段】
【００１４】
請求項１の考案は、前記「Ａ」〜「Ｃ」の目的を達成することにある。
【００１５】
請求項１は、雪だるま、木、動物、建物、乗り物（玩具）、その他の造形品等を模した造形物の外郭体と、この外郭体内に臨んだ一本又は数本のキャピラリーチューブと、このキャピラリーチューブの先端に設けた一個又は数個のノズルと、前記キャピラリーチューブの基端を接続する冷凍機と、前記外郭体の下端内に先端が臨み、かつその基端が前記冷凍機に接続する戻りチューブで構成した擬似着霜造形物であって、
前記ノズルを外郭体の広い端面部に設置する際に、この端面部で、前記キャピラリーチューブからの高圧冷媒を旋回させるために、この外郭体の内面接線方向に曲折する曲り部を形成する構成とした擬似着霜造形物である。
【００１６】
請求項２の考案は、前記「Ａ」〜「Ｃ」の目的を達成することと、この目的を達成するに最適な、雪だるまと、そのキャピラリーチューブに関する構造の提供にある。
【００１７】
請求項２は、請求項１に記載の擬似着霜造形物であって、
前記雪だるまにおいて、一本又は数本のキャピラリーチューブの先端のノズルを、前記外郭体の頭部の頂上内面まで延設し、また、他の一本一本又は数本のキャピラリーチューブの先端を、この外郭体の胴体の中心のやや上方に延設するとともに、この他の一本又は数本のキャピラリーチューブの先端に一個又は数個のノズルを付設し、この他の一本又は数本のキャピラリーチューブの先端に設けた一個又は数個のノズルを胴体の内面接線方向に曲折する曲り部を形成する構成とした擬似着霜造形物である。
【００１８】
請求項３の考案は、前記「Ａ」〜「Ｃ」の目的を達成することと、この目的を達成するに最適な、雪だるまの着霜に関する構造の提供にある。
【００１９】
請求項３は、請求項２に記載の擬似着霜造形物であって、
前記雪だるまに、温度センサーとスイッチを付設し、前記冷凍機をオンオフする構成、及び／又はスイッチ、並びに照明を付設し、この照明を点灯又は消灯する構成とした擬似着霜造形物である。
【００２０】
請求項４の考案は、前記「Ａ」〜「Ｃ」の目的を達成することと、この目的を達成するに最適な、キャピラリーチューブからの高圧冷媒を旋回する構造の提供にある。
【００２１】
請求項４は、請求項１に記載の擬似着霜造形物であって、
前記キャピラリーチューブからの高圧冷媒を旋回する構造において、この旋回を、略水平方向において行う構成とした擬似着霜造形物である。
【考案の効果】
【００２２】
請求項１の考案は、雪だるま、木、動物を模した造形物の外郭体と、外郭体内に臨んだ一本又は数本のキャピラリーチューブと、キャピラリーチューブの先端に設けた一個又は数個のノズルと、キャピラリーチューブの基端を接続する冷凍機と、外郭体の下端内に先端が臨み、かつ基端が前記冷凍機に接続する戻りチューブで構成した擬似着霜造形物であって、
ノズルを外郭体の広い端面部に設置する際に、端面部で、キャピラリーチューブからの高圧冷媒を旋回させるために、外郭体の内面接線方向に曲折する曲り部を形成する擬似着霜造形物である。
【００２３】
従って、請求項１は、下記の特徴を有する。
【００２４】
「Ａ」  造形物のベース内に、冷凍機を設置するとともに、高圧冷媒配供給管に接続した分岐部を介して、造形物内にキャピラリーチューブを臨ませるとともに、キャピラリーチューブのノズルを外郭体の広い端面部に設置する際に、端面部で、キャピラリーチューブからの高圧冷媒を旋回、かつ蒸発しながらガス化し、外郭体の内面接線方向に曲折する曲り部を形成する構成とし、造形物に、略均等に着霜できる。
【００２５】
「Ｂ」  造形物内にキャピラリーチューブを臨ませるとともに、キャピラリーチューブのノズルを外郭体の頂上内面に設置することで、キャピラリーチューブからの高圧冷媒を、上方から下方に向かって、蒸発しながらガス化し、略満遍なく吹き降ろす構成とし、造形物に、略均等に着霜できる。
【００２６】
「Ｃ」  造形物内に戻りチューブを臨ませるとともに、戻りチューブの先端開口を外郭体の下端（内面）に設置することで、使用済み冷媒ガスを、確実に冷凍機にリターンし、気化ガスから高圧冷媒に変換することで、冷媒及び／又はガスの有効利用を図りつつ、効率的に、造形物に、略均等に着霜できる。
【００２７】
請求項２の考案は、請求項１に記載の擬似着霜造形物であって、
雪だるまにおいて、一本又は数本のキャピラリーチューブの先端のノズルを、外郭体の頭部の頂上内面まで延設し、また、他の一本又は数本のキャピラリーチューブの先端を、外郭体の胴体の中心のやや上方に延設するとともに、他の一本又は数本のキャピラリーチューブの先端に数個のノズルを付設し、他の一本又は数本のキャピラリーチューブの先端に設けた一個又は数個のノズルを胴体の内面接線方向に曲折する曲り部を形成する構成とした擬似着霜造形物である。
【００２８】
従って、請求項２は、前記「Ａ」〜「Ｃ」の目的を達成できることと、この目的を達成するに最適な、雪だるまと、そのキャピラリーチューブに関する構造を提供できること等の特徴を有する。
【００２９】
請求項３の考案は、請求項２に記載の擬似着霜造形物であって、
雪だるまに、温度センサーとスイッチを付設し、冷凍機をオンオフする構成、及び／又はスイッチ、並びに照明を付設し、照明を点灯又は消灯する構成とした擬似着霜造形物である。
【００３０】
従って、請求項３は、前記「Ａ」〜「Ｃ」の目的を達成できることと、この目的を達成するに最適な、雪だるまの着霜に関する構造を提供できること等の特徴を有する。
【００３１】
請求項４の考案は、請求項１に記載の擬似着霜造形物であって、
キャピラリーチューブからの高圧冷媒を旋回する構造において、旋回を、略水平方向において行う構成とした擬似着霜造形物である。
【００３２】
従って、請求項４は、前記「Ａ」〜「Ｃ」の目的を達成できることと、この目的を達成するに最適な、キャピラリーチューブからの高圧冷媒を旋回する構造を提供できること等の特徴を有する。
【考案を実施するための最良の形態】
【００３３】
本考案の一例を説明する。
図面の説明をすると、図１は造形物の一例である雪だるまの全体形状を示した斜視図、図２は図１の要部を欠截した斜視図、図３は雪だるまと、着霜機構の一例を正面視して示した断面模式図、図４は雪だるまの全体形状を正面視して示した断面であって、高圧冷媒と、その動きを示した断面模式図、図５は雪だるまの広い端面部を横断して示した断面であって、高圧冷媒と、その動きを示した断面模式図、図６は雪だるまの全体形状に、加湿器、照明を付設し、正面視して示した斜視図である。
【００３４】
図中１は雪だるま、木、動物を模した造形物で、この造形物１は、外郭体１００と、この外郭体１００で形作る空間部１０１で構成し、この外郭体１００内に一本又は数本のキャピラリーチューブ２（後述する）を臨ませることで、この外郭体１００（造形物１）は蒸発器として機能する。そして、この一例では、この一本又は数本のキャピラリーチューブ２の先端２００を、外郭体１００の頭部１ａの頂上内面まで延設し、その先端２００に、一個又は数個のノズル３を設ける。また、この一例では、他の一本又は数本のキャピラリーチューブ２の先端２００を、外郭体１００の胴体１ｂ（端面部とする）の中心のやや上方に延設し、その先端２００に、一個又は数個のノズル３０を設ける。
【００３５】
前述の如く、この一本又は数本のキャピラリーチューブ２の先端２００に一個又は数個のノズル３（このキャピラリーチューブ２は、噴射後の拡散であり、ノズル３の省略もあり得る）を、外郭体１００の頂上内面に設置することで、キャピラリーチューブ２からの高圧冷媒５を、上方から下方に向かって、蒸発しながらガス化し、略満遍なく吹き降ろす構成とし、造形物１に、略均等に着霜できる。また、この他の一本又は数本のキャピラリーチューブ２０の先端２０００に一個又は数個のノズル３０は、胴体１ｂの内面接線方向１ｂ１に曲折する曲り部３０００を形成することで、この胴体１ｂの端面部において、キャピラリーチューブ２からの高圧冷媒５を外郭体１００の内面接線方向１ｂ１に噴射し（造形物１の肩部１ｃに向けて噴射）、この高圧冷媒５に旋回力を与えながら、蒸発してガス化する。このガス化した冷媒ガスは、胴体１ｂの下端（内面）に向かって、流下することで、この造形物１の全体に、略均等に着霜できる。
【００３６】
尚、キャピラリーチューブ２とキャピラリーチューブ２０は、分岐部６と高圧冷媒供給管７を介して冷凍機８に接続される。即ち、この冷凍機８からの高圧冷媒５が、高圧冷媒供給管７を経由し、この分岐部６で分岐されて、各キャピラリーチューブ２とキャピラリーチューブ２０に、略均等に送り、この造形物１に、略均等に着霜できる実益がある。また、戻りチューブ１２の先端を、前記外郭体１００の下端に臨ませるとともに、この戻りチューブ１２の先端開口を外郭体１００の下端に設置することで、使用済み冷媒ガス５０（マイナス帯で蒸発した低圧ガス）を、確実に吸込んだ後に冷凍機８にリターンし、気化ガスから高圧冷媒５に変換できる実益がある。
【００３７】
図中１５は分岐部６と高圧冷媒供給管７、並びに冷凍機８を収容する背面板を備えた箱兼架台である。
【００３８】
本考案の作用を説明すると、冷凍機８で液化した高圧冷媒５は、分岐部６を通して３本のキャピラリーチューブ２、２０、２０のノズル３、３０、３０より噴出蒸発して造形物１を冷却し、かつこの造形物１が蒸発器として機能し、この造形物１の外表面に空気中の水分が付着し（霜が付着し）、あたかも雪だるまの如く着霜する。この着霜は、運転中融けないので、人工雪だるまとなる。また、この造形物１内の使用済み冷媒ガス５０は戻りチューブ１２を経由し、冷凍機８に戻り圧縮、かつ液化されて高圧冷媒５に変換される。そして、一定の厚さ着霜したら、温度センサー１６にて、冷凍機８をオンオフ（入り切り）する。
【００３９】
尚、図中１７はスイッチで、このスイッチ１７により、冷凍機８、温度センサー１６、光センサー１４或いは加湿器１８等をオンオフする。図示しない制御機構で、総合的にコントロールすることもできる。尚、加湿器１８及び／又は冬季において冷気、或いは冷凍手段を利用し、雪、又は擬似雪を舞わせることもできる。また、照明１９、音声等を人感センサー（図示せず）で、オンオフ、又はかわいい声で、「いらっしゃいませ」等しゃべることで、演出効果を図ることも可能である。
【図面の簡単な説明】
【００４０】
【図１】造形物の一例である雪だるまの全体形状を示した斜視図
【図２】図１の要部を欠截した斜視図
【図３】雪だるまと、着霜機構の一例を正面視して示した断面模式図
【図４】雪だるまの全体形状を正面視して示した断面であって、高圧冷媒と、その動きを示した断面模式図
【図５】雪だるまの広い端面部を横断して示した断面であって、高圧冷媒と、その動きを示した断面模式図
【図６】雪だるまの全体形状に、加湿器、照明を付設し、正面視して示した斜視図
【符号の説明】
【００４１】
１              造形物
１ａ            頭部
１ｂ            胴体
１ｂ１          内面接線方向
１ｃ            肩部
１００          外郭体
１０１          空間部
２              キャピラリーチューブ
２００          先端
２０            キャピラリーチューブ
２０００        先端
３              ノズル
３０            ノズル
３００          曲り部
５              高圧冷媒
５０            使用済み冷媒ガス
６              分岐部
７              高圧冷媒供給管
８              冷凍機
１２            戻りチューブ
１４            光センサー
１５            箱兼架台
１６            温度センサー
１７            スイッチ
１８            加湿器
１９            照明
【図１】
0003149904.tif 000003
【図２】
0003149904.tif 000004
【図３】
0003149904.tif 000005
【図４】
0003149904.tif 000006
【図５】
0003149904.tif 000007
【図６】
0003149904.tif 000008